(57)【特許請求の範囲】
【請求項１】
直管型ランプと、
前記直管型ランプの口金を保持するとともに前記直管型ランプに給電するソケットと、
前記ソケットが取り付けられる器具本体と、
前記ソケットの下方を覆うように形成され、前記器具本体における前記ソケット背面側に形成した開口部に挿通されて回動支持されるとともに閉位置で前記器具本体に保持されるソケットカバーとを備え、
前記ソケットカバーを開状態から閉状態に回動していくに従って前記開口部の外周内縁の方向へ前記ソケットカバーを案内するガイド部を設けた照明器具。
【請求項２】
請求項１に記載の照明器具において、
前記ガイド部が、前記ソケット背面において、前記開口部の外周内縁に向かって形成される爪部である照明器具。
【請求項３】
請求項１に記載の照明器具において、
前記ガイド部が、前記ソケット背面において、前記開口部の外周内縁に向かって傾斜して形成される突起部である照明器具。
【発明の詳細な説明】
【技術分野】
【０００１】
本発明は、天井面に取り付けられるベースライト等に適用される照明器具に関する。
【背景技術】
【０００２】
従来より、直管型ランプの口金に機械的および電気的に接続されるソケットを覆うソケットカバーを器具本体に着脱自在に取付けた照明器具が知られている（例えば、特許文献１参照）。
特許文献１は、反射板の孔にソケットを挿入した後に、ソケットカバーに有するエンドカバー部を反射板の段部に挿入することにより、ソケットカバーが反射板に取り付けられる。
特許文献１は、ソケットカバーに反射板のエンドカバーが一体に形成されるために、組み立ての手数を減少できる。
また、従来より、直管型ランプの端部と、照明器具の器具本体に設けられたソケットとを覆うソケットカバーを備えた照明器具が知られている（例えば、特許文献２参照）。
特許文献２は、直管型ランプの温度低下を防ぐことができ、低温状態での直管型ランプの光出力の低下を防止できる。
【先行技術文献】
【特許文献】
【０００３】
【特許文献１】実公昭６０−４３３５号公報（図２、請求項１）
【特許文献２】特開２００７−２６５９４１号公報（図２、請求項１）
【発明の概要】
【発明が解決しようとする課題】
【０００４】
ところで、図１５に示すように、特許文献１および特許文献２と同様に、直管型ランプ１０１が接続されるソケット１０２を覆うソケットカバー１０３を器具本体１０４に着脱自在に取付けた照明器具１００が提案されている。
このような従来の照明器具１００は、ソケットカバー１０３が器具本体１０４に有する取付孔１０５を介して回動自在に支持されている。
そして、このような従来の照明器具１００は、開状態のソケットカバー１０３を閉成する際に、ソケットカバー１０３を器具本体１０４に向けて回動させることにより、ソケット１０２を覆う位置においてソケットカバー１０３が閉成される。
しかし、このような従来の照明器具１００は、ソケットカバー１０３が器具本体１０４の取付孔１０５に回動自在に支持されてはいるものの、閉成位置においてのソケットカバー１０３の位置を規制することができない。
そのため、このような従来の照明器具１００は、ソケットカバー１０３の閉成位置において、ソケットカバー１０３がソケット１０２側に寄ってしまい、下方から器具本体１０４の取付孔１０５が見えてしまう。
従って、このような従来の照明器具１００は、器具本体１０４の取付孔１０５が見えてしまうために、見映えが良好ではない。
【０００５】
本発明は、前述した課題を解決するためになされたものであり、その目的は、外観面での見映えを良好にできる照明器具を提供することにある。
【課題を解決するための手段】
【０００６】
本発明に係る照明器具は、直管型ランプと、前記直管型ランプの口金を保持するとともに前記直管型ランプに給電するソケットと、前記ソケットが取り付けられる器具本体と、前記ソケットの下方を覆うように形成され、前記器具本体における前記ソケット背面側に形成した開口部に挿通されて回動支持されるとともに閉位置で前記器具本体に保持されるソケットカバーとを備え、前記ソケットカバーを開状態から閉状態に回動していくに従って前記開口部の外周内縁の方向へ前記ソケットカバーを案内するガイド部を設けた。
【０００７】
本発明に係る照明器具は、前記ガイド部が、前記ソケット背面において、前記開口部の外周内縁に向かって形成される爪部である。
【０００８】
本発明に係る照明器具は、前記ガイド部が、前記ソケット背面において、前記開口部の外周内縁に向かって傾斜して形成される突起部である。
【発明の効果】
【０００９】
本発明に係る照明器具によれば、外観面での見映えを良好にできるという効果を奏する。
【図面の簡単な説明】
【００１０】
【図１】本発明に係る第１実施形態の照明器具の側面図
【図２】本発明に係る第１実施形態の照明器具の底面図
【図３】本発明に係る第１実施形態の照明器具の正面図
【図４】本発明に係る第１実施形態の照明器具のソケットカバーの閉状態の斜め下方から視た外観斜視図
【図５】本発明に係る第１実施形態の照明器具のソケットカバーの開状態の斜め下方から視た外観斜視図
【図６】本発明に係る第１実施形態の照明器具のソケット周りの分解斜視図
【図７】本発明に係る第１実施形態の照明器具のソケットカバーの開状態のソケット周りの斜め下方から視た外観斜視図
【図８】本発明に係る第１実施形態の照明器具のソケットカバーの開状態の垂直断面図
【図９】本発明に係る第１実施形態の照明器具のソケットカバーの閉成途中の状態の垂直断面図
【図１０】本発明に係る第１実施形態の照明器具のソケットカバーの閉状態の垂直断面図
【図１１】本発明に係る第２実施形態の照明器具のソケットカバーの開状態のソケット周りの斜め下方から視た外観斜視図
【図１２】本発明に係る第２実施形態の照明器具のソケットカバーの開状態の垂直断面図
【図１３】本発明に係る第２実施形態の照明器具のソケットカバーの閉成途中の状態の垂直断面図
【図１４】本発明に係る第２実施形態の照明器具のソケットカバーの閉状態の垂直断面図
【図１５】従来の照明器具のソケットカバー周りの斜め下方から視た外観図
【発明を実施するための形態】
【００１１】
以下、本発明に係る複数の実施形態の照明器具について図面を参照して説明する。
（第１実施形態）
図１に示すように、本発明に係る第１実施形態の照明器具１０は、単一の直管型ランプ１１と、直管型ランプ１１に有する一対の口金１２を保持するとともに直管型ランプ１１に給電するための一対のソケット１３とを備えてベースライトに適用される。
また、照明器具１０は、ソケット１３が取り付けられる反射板一体型の器具本体１４を備えており、器具本体１４の直管型ランプ１１側に反射面１５が形成される。
そして、照明器具１０は、一対のソケット１３の周囲を囲むように形成されて器具本体１４に保持される一対のソケットカバー１６を備える。
さらに、照明器具１０は、器具本体１４の中央部の上面に電源ボックス１７を備えており、この電源ボックス１７内に電源ユニット１８が収容されている。電源ユニット１８は、ソケット１３に給電する。
【００１２】
図２および図３に示すように、器具本体１４は、反射面１５が、直管型ランプ１１から出射される光を反射させるために、器具本体１４の幅寸法および長さ寸法に同等の幅寸法および長さ寸法を有する。
【００１３】
図４に示すように、ソケットカバー１６は、ソケット１３の外形に相似するＵ字形状に形成されてソケット１３の側方を含めた下方を覆う下方カバー部１９を備える。
ソケットカバー１６は、ソケット１３の背面側を覆う背面カバー部２０を備える。
ソケットカバー１６は、閉状態において、使用者が下方および背面から見えないように、下方カバー部１９および背面カバー部２０により、ソケット１３および直管型ランプ１１の口金１２を覆う。
図５に示すように、ソケットカバー１６は、直管型ランプ１１の交換時等に開成されることにより、ソケット１３および直管型ランプ１１の口金１２を露出させる。
【００１４】
図６および図７に示すように、器具本体１４は、ソケット１３の前面にソケットカバー固定ばね２１を備える。
ソケットカバー固定ばね２１は、器具本体１４のソケット１３の前面においてハ字形状に下方に向けて突出される。
器具本体１４は、ソケット１３の背面に開口部２２が形成される。開口部２２は、四角形に切除されている。開口部２２は、ソケット１３の固定用にも使われる。
器具本体１４は、ねじ２３のねじ込みによりソケット台２４が上面に固定される。
ソケット台２４は、ソケット１３の背面において、ガイド部を構成するものとして開口部２２の外周内縁に向かって形成される爪部２５を備える。
そのため、爪部２５は、ソケット台２４が器具本体１４にねじ止めされることにより、開口部２２の外周内縁に向かって斜めに突出される。
【００１５】
ソケットカバー１６は、背面カバー部２０の上端面２６の中央部において上方に向けてＴ字形状に突出される掛止部２７を備える。
掛止部２７は、その首部２８の幅寸法が、開口部２２の器具本体１４における短手方向の幅寸法よりもわずかに小さい。
そのため、ソケットカバー１６は、掛止部２７が開口部２２に挿入されることにより、首部２８がソケット台２４の爪部２５に押圧されながら、開口部２２に回動自在に支持される。
【００１６】
次に、ソケットカバー１６の開閉動作について説明する。
図８に示すように、ソケットカバー１６は、開状態にあると、掛止部２７の首部２８がソケット台２４の爪部２５に押圧されながら、ソケット１３および直管型ランプ１１の口金１２を露出させる。
【００１７】
図９に示すように、ソケットカバー１６は、開状態において、下方カバー部１９が器具本体１４側に押圧される。
これにより、ソケットカバー１６は、下方カバー部１９および背面カバー部２０がソケット１３および直管型ランプ１１の口金１２に近づく方向に回動されていく。
【００１８】
図１０に示すように、ソケットカバー１６は、下方カバー部１９の上端部がソケットカバー固定ばね２１に係止されることにより、閉位置に到達する。
このとき、ソケットカバー１６は、掛止部２７の首部２８がソケット台２４の爪部２５に押圧されることにより、開口部２２の外周内縁の方向に押圧されながら閉位置に到達する。
そのため、ソケットカバー１６は、背面カバー部２０がソケット１３から最も離れた器具本体１４の端部においてソケットカバー固定ばね２１に係止される。
従って、ソケットカバー１６は、下方カバー部１９および背面カバー部２０により、開口部２２を覆って器具本体１４に装着されることになる。
【００１９】
以上、説明した本発明に係る第１実施形態の照明器具１０によれば、ソケットカバー１６が開状態から閉状態に回動される際に、ガイド部を構成する爪部２５により、ソケットカバー１６が開口部２２の外周内縁の方向へ案内される。
従って、照明器具１０によれば、ソケットカバー１６が、閉状態において、開口部２２を覆って器具本体１４に装着されることにより、外観面での見映えを良好にできる。
【００２０】
また、照明器具１０によれば、ガイド部を構成する爪部２５が、ソケット台２４に形成される。
従って、照明器具１０によれば、ソケット台２４にわずかな変更を加えるだけで爪部２５を成形できるために、器具本体１４等の構造変更を伴わずに、簡単に製造できる。
【００２１】
（第２実施形態）
次に、本発明に係る第２実施形態の照明器具について説明する。
なお、以下の第２実施形態において、前述した第１実施形態と重複する構成要素や機能的に同様な構成要素については、図中に同一符号あるいは相当符号を付することによって説明を簡略化あるいは省略する。
【００２２】
図１１に示すように、本発明に係る第２実施形態の照明器具３０は、ガイド部が、ソケット１３の背面において、開口部２２の外周内縁に向かって傾斜して形成される一対の突起部３１である。
突起部３１は、ソケット台２４が器具本体１４にねじ止めされることにより、開口部２２の外周内縁に向かって傾斜する傾斜面３２を有する。
【００２３】
図１２に示すように、ソケットカバー１６は、開状態にあると、背面カバー部２０の上端面２６が突起部３１の傾斜面３２に接触されながら、ソケット１３および直管型ランプ１１の口金１２を露出させる。
【００２４】
図１３に示すように、ソケットカバー１６は、開状態において、下方カバー部１９が器具本体１４側に押圧される。
これにより、ソケットカバー１６は、背面カバー部２０の上端面２６が突起部３１の傾斜面３２に摺接されながら、下方カバー部１９および背面カバー部２０がソケット１３および直管型ランプ１１の口金１２に近づく。
【００２５】
図１４に示すように、ソケットカバー１６は、背面カバー部２０の上端面２６が突起部３１の傾斜面３２に摺触されながら、下方カバー部１９の上端部がソケットカバー固定ばね２１に係止されることにより、閉位置に到達する。
このとき、ソケットカバー１６は、突起部３１の傾斜面３２により、開口部２２の外周内縁の方向に誘導されながら閉位置に到達する。
そのため、ソケットカバー１６は、背面カバー部２０がソケット１３から最も離れた器具本体１４の端部においてソケットカバー固定ばね２１に係止される。
従って、ソケットカバー１６は、下方カバー部１９および背面カバー部２０により、開口部２２を覆って器具本体１４に装着される。
【００２６】
第２実施形態の照明器具３０によれば、ガイド部が、ソケット１３の背面において、開口部２２の外周内縁に向かって傾斜して形成される突起部３１である。
従って、照明器具３０によれば、ソケット台２４にわずかな変更を加えるだけで突起部３１を成形できるために、器具本体１４等の構造変更を伴わずに、簡単に製造できる。
【００２７】
なお、本発明の照明器具において直管型ランプ，ソケット，器具本体等は、前述した各実施形態に限定されるものでなく、適宜な変形や改良等が可能である。
【符号の説明】
【００２８】
１０，３０  照明器具
１１  直管型ランプ
１２  口金
１３  ソケット
１４  器具本体
１６  ソケットカバー
２２  開口部
２５  爪部（ガイド部）
３１  突起部（ガイド部）
【図１】
0005703445.tif 000002
【図２】
0005703445.tif 000003
【図３】
0005703445.tif 000004
【図４】
0005703445.tif 000005
【図５】
0005703445.tif 000006
【図６】
0005703445.tif 000007
【図７】
0005703445.tif 000008
【図８】
0005703445.tif 000009
【図９】
0005703445.tif 000010
【図１０】
0005703445.tif 000011
【図１１】
0005703445.tif 000012
【図１２】
0005703445.tif 000013
【図１３】
0005703445.tif 000014
【図１４】
0005703445.tif 000015
【図１５】
0005703445.tif 000016